(57)【要約】【課題】  電話端末から発信を行う場合に、プレゼンスを確認でき発信の操作が容易なＩＰ交換システム及びＩＰ交換装置を提供することを目的とする。【解決手段】  ＩＰ交換システムは、複数の電話端末がＬＡＮで接続されるＩＰ交換装置１００、音声信号とテキストとを変換する音声認識／合成サーバ３００、及び前記各電話端末に対応付けられるプレゼンス情報をプレゼンス記憶部へ記憶するプレゼンスサーバ２００を有する。ＩＰ交換装置１００は発信元電話端末から発信先を音声で受け付け、音声による発信先が入力されると音声認識／合成サーバ３００による音声認識を経てプレゼンスサーバ２００に対してプレゼンス確認を要求する。プレゼンスサーバ２００からのプレゼンス通知は、音声認識／合成サーバ３００により音声信号へ変換され、音声信号によるプレゼンス通知および発信するか否かの発信選択の音声ガイダンスが発信元電話端末へ出力される。【選択図】  図３
2012075047.tif 000002
【特許請求の範囲】
【請求項１】
ＬＡＮ（Local Area Network）により複数の電話端末が接続されるＩＰ交換装置と、前記ＬＡＮを介してＩＰ交換装置と接続され、音声信号からテキストへ又はテキストから音声信号へ変換する音声認識／合成サーバと、前記ＬＡＮに接続され前記各電話端末に対応付けられるプレゼンス情報をプレゼンス記憶部へ記憶するプレゼンスサーバとを有するＩＰ交換システムであって、
前記ＩＰ交換装置には、
発信先に対応付けられるプレゼンス確認の要求を前記複数の電話端末のうちの発信元電話端末から音声信号により受け付け、前記音声信号を前記音声認識／合成サーバへ送ることにより発信先のプレゼンス確認を要求するプレゼンス確認転送手段と、
前記プレゼンス確認転送手段によるプレゼンス確認に応答して、前記音声認識／合成サーバから音声信号により発信先のプレゼンスを示すプレゼンス通知が送られてきた場合、前記プレゼンス通知を前記発信元電話端末へ送るプレゼンス通知転送手段と、
前記プレゼンス通知転送手段により発信先のプレゼンスを通知した後に、前記発信先への発信を行うか否かの選択を促すプロンプティング手段とを備え、
前記音声認識／合成サーバは、
前記プレゼンス確認転送手段により発信先のプレゼンス確認を要求された場合、前記発信先のプレゼンス確認の音声信号に基づき前記プレゼンスサーバに対してプレゼンス情報を要求する要求信号へ変換し、前記要求信号をプレゼンスサーバへ送るプレゼンス要求手段と、
前記プレゼンス要求手段によるプレゼンス要求に応答して、前記プレゼンスサーバから前記発信先のプレゼンスが通知された場合に前記発信先のプレゼンス通知を音声信号へ変換して、前記音声信号のプレゼンス通知を前記ＩＰ交換装置へ送るプレゼンス応答手段とを備え、
前記プレゼンスサーバは、
前記プレゼンス要求手段によるプレゼンス要求に応答して、前記プレゼンス記憶部を参照して要求された電話端末に対応付けられるプレゼンス情報を取得し、取得したプレゼンス情報を前記音声認識／合成サーバへ送るプレゼンス取得手段を備えることを特徴とするＩＰ交換システム。
【請求項２】
ＬＡＮ（Local Area Network）により複数の電話端末が接続されるＩＰ交換装置と、前記ＬＡＮを介してＩＰ交換装置と接続され、音声信号からテキストへ又はテキストから音声信号へ変換する音声認識／合成サーバと、前記ＬＡＮに接続され前記各電話端末に対応付けられるプレゼンス情報をプレゼンス記憶部へ記憶し、前記音声認識／合成サーバからのプレゼンスを要求するプレゼンス要求に応答して、要求された電話端末に対応付けられるプレゼンス情報を前記プレゼンス記憶部を参照して取得し、取得したプレゼンス情報を前記音声認識／合成サーバへ送るプレゼンスサーバとを有するＩＰ交換システムのＩＰ交換装置であって、
発信先に対応付けられるプレゼンス確認の要求を前記複数の電話端末のうちの発信元電話端末から音声信号により受け付け、前記音声信号を前記音声認識／合成サーバへ送ることにより発信先のプレゼンス確認を要求するプレゼンス確認転送手段と、
前記プレゼンス確認転送手段によるプレゼンス確認に応答して、前記音声認識／合成サーバから音声信号により発信先のプレゼンスを示すプレゼンス通知が送られてきた場合、前記プレゼンス通知を前記発信元電話端末へ送るプレゼンス通知転送手段と、
前記プレゼンス通知転送手段により発信先のプレゼンスを通知した後に、前記発信先への発信を行うか否かの選択を促すプロンプティング手段とを備えることを特徴とするＩＰ交換装置。 
【発明の詳細な説明】
【技術分野】
【０００１】
本発明は、例えば、ＩＰ交換装置の配下の電話端末における発信時のユーザ操作の軽減に関する。
【背景技術】
【０００２】
企業の構内交換システムは、近年ＩＰ化が進み、ＩＰ化された構内交換システムはＩＰ交換システムと呼ばれる。このようなＩＰ交換システムを含む構内交換システムでは、外出中、応答可能など連絡相手の在席状況がどのような状況であるかを示すプレゼンスを確認できるプレゼンス機能を備えるようになってきた。これにより、連絡したい相手の状況に合わせて連絡手段を選択できるようなり、相手が不在による電話のかけ直し等の手間が省け、業務が効率的に進められる。このプレゼンスは、プレゼンスサーバで管理され、主にＰＣ（Personal Computer）からプレゼンスサーバへアクセスしてプレゼンスが確認される。
【０００３】
また、近年では、音声を検出してテキスト化したり、検出した音声を指示信号へ変換したりする音声認識装置の音声認識率が高まっている。このような音声認識装置は、指示入力を音声で行うことにより、ボタンやマウス等を用いるような、手での作業を軽減するツールとして期待されている。
【先行技術文献】
【特許文献】
【０００４】
【特許文献１】特開２００６−１５７１１１号公報
【発明の概要】
【発明が解決しようとする課題】
【０００５】
企業の構内交換システムは、プレゼンス機能を備えるようになってきたが、電話端末から発信を行う場合に相手のプレゼンスを確認する場合には、ＰＣ等からプレゼンスサーバへアクセスしてプレゼンス情報を取得し、その後、電話端末から発信を行う。このように、発信先の状態を確認するための検索操作や発信操作の手間が多く、特に電話により連絡を行う場合は、メールで連絡を取る場合に比べて少ない手順でより早く連絡を取りたい状況が多い。すなわち、電話端末から発信を行う場合に、プレゼンスの確認ができ、さらに発信操作を容易にすることが求められる。
【０００６】
そこで、目的は、電話端末から発信を行う場合に、プレゼンスを確認でき発信の操作が容易なＩＰ交換システム及びＩＰ交換装置を提供することにある。
【課題を解決するための手段】
【０００７】
上記目的を達成するためのＩＰ交換システムは、ＬＡＮ（Local Area Network）により複数の電話端末が接続されるＩＰ交換装置と、前記ＬＡＮを介してＩＰ交換装置と接続され、音声信号からテキストへ又はテキストから音声信号へ変換する音声認識／合成サーバと、前記ＬＡＮに接続され前記各電話端末に対応付けられるプレゼンス情報をプレゼンス記憶部へ記憶するプレゼンスサーバとを有するＩＰ交換システムであって、前記ＩＰ交換装置には、発信先に対応付けられるプレゼンス確認の要求を前記複数の電話端末のうちの発信元電話端末から音声信号により受け付け、前記音声信号を前記音声認識／合成サーバへ送ることにより発信先のプレゼンス確認を要求するプレゼンス確認転送手段と、前記プレゼンス確認転送手段によるプレゼンス確認に応答して、前記音声認識／合成サーバから音声信号により発信先のプレゼンスを示すプレゼンス通知が送られてきた場合、前記プレゼンス通知を前記発信元電話端末へ送るプレゼンス通知転送手段と、前記プレゼンス通知転送手段により発信先のプレゼンスを通知した後に、前記発信先への発信を行うか否かの選択を促すプロンプティング手段とを備え、前記音声認識／合成サーバは、前記プレゼンス確認転送手段により発信先のプレゼンス確認を要求された場合、前記発信先のプレゼンス確認の音声信号に基づき前記プレゼンスサーバに対してプレゼンス情報を要求する要求信号へ変換し、前記要求信号をプレゼンスサーバへ送るプレゼンス要求手段と、前記プレゼンス要求手段によるプレゼンス要求に応答して、前記プレゼンスサーバから前記発信先のプレゼンスが通知された場合に前記発信先のプレゼンス通知を音声信号へ変換して、前記音声信号のプレゼンス通知を前記ＩＰ交換装置へ送るプレゼンス応答手段とを備え、前記プレゼンスサーバは、前記プレゼンス要求手段によるプレゼンス要求に応答して、前記プレゼンス記憶部を参照して要求された電話端末に対応付けられるプレゼンス情報を取得し、取得したプレゼンス情報を前記音声認識／合成サーバへ送るプレゼンス取得手段を備えることを特徴とする。
【０００８】
また、上記目的を達成するためのＩＰ交換装置は、ＬＡＮ（Local Area Network）により複数の電話端末が接続されるＩＰ交換装置と、前記ＬＡＮを介してＩＰ交換装置と接続され、音声信号からテキストへ又はテキストから音声信号へ変換する音声認識／合成サーバと、前記ＬＡＮに接続され前記各電話端末に対応付けられるプレゼンス情報をプレゼンス記憶部へ記憶し、前記音声認識／合成サーバからのプレゼンスを要求するプレゼンス要求に応答して、要求された電話端末に対応付けられるプレゼンス情報を前記プレゼンス記憶部を参照して取得し、取得したプレゼンス情報を前記音声認識／合成サーバへ送るプレゼンスサーバとを有するＩＰ交換システムのＩＰ交換装置であって、発信先に対応付けられるプレゼンス確認の要求を前記複数の電話端末のうちの発信元電話端末から音声信号により受け付け、前記音声信号を前記音声認識／合成サーバへ送ることにより発信先のプレゼンス確認を要求するプレゼンス確認転送手段と、前記プレゼンス確認転送手段によるプレゼンス確認に応答して、前記音声認識／合成サーバから音声信号により発信先のプレゼンスを示すプレゼンス通知が送られてきた場合、前記プレゼンス通知を前記発信元電話端末へ送るプレゼンス通知転送手段と、前記プレゼンス通知転送手段により発信先のプレゼンスを通知した後に、前記発信先への発信を行うか否かの選択を促すプロンプティング手段とを備えることを特徴とする。
【図面の簡単な説明】
【０００９】
【図１】本発明の一実施の形態に係るＩＰ交換システムの構成を示すブロック図。
【図２】図１のＩＰ交換システムに設けられるＩＰ交換装置の構成を示すブロック図。
【図３】図１のＩＰ交換システムにおける発信〜通話確立の動作を示すシーケンス図。
【発明を実施するための形態】
【００１０】
以下、本発明の実施例を、図面を参照して説明する。
【実施例】
【００１１】
図１は、一実施の形態を示すＩＰ交換システムの構成を示すブロック図である。  
ＩＰ交換システムは、ＩＰ交換装置１００、プレゼンスサーバ２００、及び音声認識／合成サーバ３００を有する。ＩＰ交換システムの各装置は、互いにＬＡＮ（Local Area Network）で接続されている。また、このＬＡＮには、電話端末１１、１２及びＰＣがさらに接続される。なお、電話端末は２台のみＬＡＮに接続されるように図示したが、電話端末がこのＬＡＮに接続される台数は、２台に限られない。また、ＬＡＮに接続されるＰＣの数も、図示した１台に限られない。
【００１２】
ＩＰ交換装置１００は、ＬＡＮ及びＩＰ網４００と接続され、ＬＡＮに接続される電話端末１１、１２（以下、電話端末を総称して電話端末１０という。）からの発信をＩＰ網４００等の通信ネットワークへ接続したり、ＩＰ網等の通信ネットワークからの着信を電話端末１０へ接続したりする。また、ＩＰ交換装置１００は、ＬＡＮに接続される何れかの電話端末（例えば電話端末１１）がＬＡＮに接続される他の何れかの電話端末（例えば電話端末１２）へ発信する場合、発信元の電話端末１１と発信先の電話端末１２とを接続する。また、ＩＰ交換装置１００は、電話端末１０から音声信号により発信先の情報が入力された場合、その音声信号を音声認識／合成サーバ３００に対して送ることにより、発信先のプレゼンス確認を要求する。そして、ＩＰ交換装置１００は、音声認識／合成サーバ３００からプレゼンス確認の要求に対する応答があった場合、その応答を発信元の電話端末へ転送する。
【００１３】
プレゼンスサーバ２００は、ＬＡＮに接続されるＰＣに対応付けられるユーザの状況を、そのユーザへの連絡手段であるメールアドレスや電話番号等と対応づけて記憶するプレゼンス記憶部を備える。ユーザの状況としては、例えば、「在席中」、「離席中」、「取り込み中」、「電話中」等が挙げられる。また、プレゼンスサーバ２００は、ＬＡＮを介してプレゼンスの確認を要求された場合、プレゼンス記憶部を参照して要求された電話端末に対応付けられるプレゼンス情報を取得し、要求元へプレゼンス情報を通知する。
【００１４】
音声認識／合成サーバ３００は、ＩＰ交換装置１００にＬＡＮを介して接続され、ＩＰ交換装置１００からＶｏＩＰ（Voice Over IP）を用いて送られてくる音声を検出してテキスト化したり、テキストを音声へ変換してＶｏＩＰを用いてＩＰ交換装置１００へ送ったりする。また、プレゼンスを要求する音声信号が送られてきた場合には、テキスト化した音声信号をプレゼンスサーバ２００へプレゼンスの確認を要求する。
【００１５】
図２は、図１のＩＰ交換システムのＩＰ交換装置１００の構成を示すブロック図である。
【００１６】
ＩＰ交換装置１００は、ＩＰ網と接続するＩＰ網側インタフェース（Ｉ／Ｆ）部１１０、ＬＡＮと接続するＬＡＮ側インタフェース部１２０、呼制御部１３０、トーキー部１４０、及び主制御部１５０を備える。
【００１７】
呼制御部１３０は、ＩＰ網側インタフェース部１１０又はＬＡＮ側インタフェース部１２０から発信要求が送られてきた場合に、発信先へ発信要求を行って発信元と発信先との呼接続を行う。
【００１８】
トーキー部１４０は、予めアナウンス（音声情報）を記憶される。このアナウンスは、後述する主制御装置１５０のプロンプティング機能により、呼制御部１３０及びＬＡＮ側インタフェース部１２０を介してＬＡＮに接続される電話端末１０へ送られる。
【００１９】
主制御部１５０は、ＩＰ交換装置１００の各部と図示しない制御バスで接続され、ＩＰ交換装置１００の全体を制御する。また、主制御部１５０は、電話端末１０に対して音声ガイダンスを流して電話端末１０からの入力を受け付けるようにするプロンプティング機能１５１を備える。例えば、発信元の電話端末１０に対して、発信するか否かの入力を促すように「発信する場合は１をダイヤルしてください。発信しない場合は受話器を置いてください。」等の音声ガイダンスをトーキー部１４０から出力させ、発信元の電話端末１０からの入力を待機し、発信元の電話端末１０から「１」がダイヤルされた場合に発信を行うよう呼制御部１３０へ指示する。
【００２０】
図３は、図１のＩＰ交換システムにおける発信〜通話確立の動作を示すシーケンス図である。ここでは、ＬＡＮに接続される電話端末１１（以下、発信元電話端末１１とする。）からＬＡＮに接続される電話端末１２（以下、発信先電話端末１２とする。）へ発信する場合を例に挙げて説明する。なお、発信先電話端末１２の内線番号は、「１２３４」であるものとする。
【００２１】
まず、発信元電話端末１１にてユーザによりオフフックされると、発信元電話端末１１からＩＰ交換装置１００へ発信要求が送られる（ステップＳ１０１）。ＩＰ交換装置１００は、この発信要求が送られると、発信元電話端末１１に対してＩＰ交換機１００内の図示しないトーン生成部よりＤＴ（Dial Tone）を出力する（ステップＳ１０２）。また、ＩＰ交換装置１００は、音声認識／合成サーバ３００を接続する（ステップＳ１０３）。
【００２２】
発信元電話端末１１では、ＤＴを聴取中に、発信先のプレゼンスを確認するために発信先確認要求として、ユーザにより受話器の送話口またはヘッドセットから発信先の電話番号（内線番号）「１２３４」または相手の名前が発声される（ステップＳ１０４）。発信元電話端末１１で発声された発信先確認要求の音声信号はＩＰ交換装置１００へ送られ、ＩＰ交換装置１００は発信先確認要求の音声信号を音声認識／合成サーバ３００へ送る（ステップＳ１０５）。
【００２３】
音声認識／合成サーバ３００は、発信先確認要求の音声信号を音声認識機能によりテキストへ変換し、テキストへ変換された発信先の電話番号または相手の名前に対応するプレゼンスを、プレゼンスサーバ２００に対して確認要求する（ステップＳ１０６）。例えば、内線番号「１２３４」という音声信号が音声認識／合成サーバ３００へ入力された場合、「１２３４」という数字であると認識し、内線番号「１２３４」に対応するプレゼンスを要求する。プレゼンスサーバ２００は、プレゼンスの確認要求を受け取ると、要求されたプレゼンスを確認し（ステップＳ１０７）、そのプレゼンスを音声認識／合成サーバ３００へ通知する（ステップＳ１０８）。音声認識／合成サーバ３００は、プレゼンスサーバ２００より通知されたプレゼンスを、音声合成機能により音声信号に変換し、その音声信号をＩＰ交換装置１００へ送る（ステップＳ１１０）。
【００２４】
ＩＰ交換装置１００は、音声認識／合成サーバ３００より音声信号に変換されたプレゼンス通知を受け取ると、その音声信号を発信元電話端末１１へ送るとともに、ＩＰ交換装置１００の主制御部１５１に備えられるプロンプティング機能１５１により、プレゼンス通知の音声信号の後に、「発信する場合は１をダイヤルしてください。発信しない場合は受話器を置いてください。」等の音声ガイダンスをトーキー部１４０から出力させ、発信元の電話端末１０からの入力を待機する。（ステップＳ１１１）。発信元電話端末１１は、音声信号を受け取ると、受話器からプレゼンス情報が音声で通知される。例えば、「１２３４（内線番号）は、在席中です。」等の音声が受話器から流れる。そして、このプレゼンス情報に引き続き、発信するか否かを選択させる音声ガイダンスが流れる。
【００２５】
発信元電話端末１１は、発信することを選択する場合には音声ガイダンスに従って、例えば「１」をダイヤルすることにより発信を選択する（ステップＳ１１２）。発信しない場合には、発信元電話端末１１では、受話器を置くことにより発信を中止する。ＩＰ交換装置１００は、発信元電話端末１１からの発信選択「１」により、呼制御部１３０へ指示して発信先電話端末１２へ発信し（ステップＳ１１３）、発信先電話端末１２でオフフックする（ステップＳ１１４）ことにより、発信元電話端末１１と発信先電話端末１２との通話が確立される。
【００２６】
このように、発信元電話端末からＩＰ交換システム内の電話端末へ発信する場合に、発信先を発信元電話端末が備える受話器の送話口またはヘッドセットから発声することにより指定し、その発信先を指定する音声信号を音声認識／合成サーバがテキスト化することにより発信先を判断してその発信先のプレゼンスをプレゼンスサーバへ問い合わせ、プレゼンスサーバからのプレゼンス通知を音声認識／合成サーバにより音声信号へ変換してＩＰ交換装置へ通知している。そして、ＩＰ交換装置は発信元電話端末に対して、音声によるプレゼンス通知と音声による発信選択のプロンプティングを行って、発信するか否かの選択を促すようにしている。そのため、発信元電話端末におけるプレゼンス確認および発信を一連の流れで操作することができ、プレゼンス確認を行ってからの発信操作が短時間で行うことができる。また、発信元電話端末では音声で操作を行い、プレゼンスも音声で通知されるため、手での操作を最小限にすることができ、他の作業と並行しての発信操作を行うことが容易になり、作業を効率的に行うことができる。
【００２７】
なお、本発明は、以上の構成に限定されるものではなく、種々の変形が可能である。例えば、上記実施例では、図３のシーケンスにおいて、ステップＳ１１１のプレゼンス通知及び発信選択のプロンプティングでは、上記実施形態では音声でプロンプティングを行ったが、音声によるプロンプティングと併せて、電話端末の表示部に発信選択を促すように文字表示するようにしてもよい。また、発信選択は、上記実施形態では発信する場合に数字をダイヤルするように説明したが、発信選択の数字を発声することにより選択したり、電話端末に発信に対応するボタンがあればその発信ボタンを押下したりするようにしてもよい。さらに、発信しないと選択する場合は、上記実施形態では受話器を置くように促したが、発信中止の場合も、例えば「０」をダイヤルしたり「０（ゼロ）」と発声したりすることにより中止を選択するようにしてもよい。
【符号の説明】
【００２８】
１０，１１，１２…電話端末、２０…ＰＣ、１００…ＩＰ交換装置、１１０…ＩＰ網側インタフェース部、１２０…ＬＡＮ側インタフェース部、１３０…呼制御部、１４０…トーキー部、１５０…主制御部、１５１…プロンプティング機能、２００…プレゼンスサーバ、３００…音声認識／合成サーバ、４００…ＩＰ網。 
【図１】
2012075047.tif 000003
【図２】
2012075047.tif 000004
【図３】
2012075047.tif 000005